(57)【要約】  コーティング作業に使用するための固定治具（１）であって、好ましくは中心軸（Ｌ）の周りを回転可能なカルーセルの形状をしており、シールドが固定される支持構造体（５）を含み、シールドは、多数のリテーナー開口部（１９）を有し、それぞれがリテーナー開口部（１９）のそれぞれを介して、処理される物体を貼りつけることにより、各物体の第１部分は、シールドからコーティング蒸着領域内に延び、各物体の第２部分は、シールドからコーティング蒸着が行われ得ないシールド領域に延びるように設計され、シールド領域は、複数の第２部分を共同で収容する共通の中空空間（１３）である、固定治具（１）【選択図】図１
2021519861.tif 000002
【特許請求の範囲】
【請求項１】
コーティング作業に使用するための固定治具（１）であって、好ましくは中心軸（Ｌ）の周りを回転可能なカルーセルの形状をしており、
シールドが固定される支持構造体（５）を含み、
前記シールドは、多数のリテーナー開口部（１９）を有し、それぞれが
前記リテーナー開口部（１９）のそれぞれを介して、処理される物体を貼りつけることにより、
各物体の第１部分は、前記シールドからコーティング蒸着領域内に延び、
各物体の第２部分は、前記シールドからコーティング蒸着が行われ得ないシールド領域に延びるように設計され、
前記シールド領域は、複数の第２部分を共同で収容する共通の中空空間（１３）であることを特徴とする、固定治具（１）
【請求項２】
前記支持構造体（５）は、前記シールドによって囲まれ、それとともに前記共通の中空空間（１３）の形状で前記シールド領域を一緒に閉じ込める中央管（６）を有することを特徴とする、請求項１に記載の固定治具（１）。
【請求項３】
前記支持構造体（５）は、前記中央管（６）から延びる第１フランジ（７）および第２フランジ（８）を含み、前記フランジ（７、８）が前記シールドまたはシールドプレート（２）を取り付けるためのベースを形成することを特徴とする、請求項１または２に記載の固定治具（１）。
【請求項４】
前記フランジ（７、８）が、前記シールドに直接接触する支持バー（９）によって相互に連結されていることを特徴とする請求項３に記載の固定治具（１）。
【請求項５】
前記シールドは、複数のシールドプレート（２）によって形成されており、前記シールドプレート（２）が蒸着動作の準備ができた位置にあるときに、直接隣接するシールドプレート（２）の横方向のフランジによって、前記支持バー（９）の関与の有無にかかわらず、前記シールド領域を前記共通の中空空間（１３）の形状で一緒に密封することを特徴とする、請求項１〜４のいずれか１項に記載の固定治具（１）。
【請求項６】
前記シールドプレート（２）は平板であることを特徴とする、請求項１〜５のいずれか１項に記載の固定治具（１）。
【請求項７】
前記フランジ（７、８）の前記円周は、前記シールドプレート（２）を取り付けるための多数の平坦なベースを有する多角形を形成することを特徴とする、請求項１〜６のいずれか１項に記載の固定治具（１）。
【請求項８】
前記シールドは、多数の窓を有するベースキャリアと、アダプタープレート（２７）に設けられた前記リテーナー開口部（１９）を除いて前記窓を閉じるように前記ベースキャリア（２６）に取り付けられた多数の前記アダプタープレートとを含むことを特徴とする、請求項１〜７のいずれか１項に記載の固定治具（１）。
【請求項９】
アダプタープレート（２７）は、前記ベースプレート（２６）に異なる回転位置で固定され得、その目的のために前記アダプタープレート（２７）の外周が好ましくは円形であることを特徴とする、請求項８に記載の固定治具（１）。
【請求項１０】
リテーナー開口部（１９）には、前記リテーナー開口部（１９）を介して動けなくなった前記物体を固定するように設計されたばね要素（２２）が割り当てられていることを特徴とする、請求項１〜９のいずれか１項に記載の固定治具（１）。
【請求項１１】
前記ばね要素（２２）は、少なくとも張力がかかっているときには、前記ばね要素（２２）が、前記ベースキャリア（２６）に対して、前記アダプタープレート（２７）と同様に、コーティングされる前記物体の固定化に寄与するような方法で、前記ベースキャリア（２６）に固定されることを特徴とする、請求項８または９のいずれか１項と一緒の請求項１０に記載の固定治具（１）
【請求項１２】
前記コンポーネントの前記シールドまたはシールドプレート（２）または前記アダプタープレート（２７）は、各リテーナー開口部（１９）のベゼル部分を形成するフロントプレートと各リテーナー開口部（１９）のリテーナー部分を形成する背面プレートとをサンドイッチ状に形成したものであり、好ましくは、前記フロントプレートと前記バックプレートとの間の接触領域が密閉されており、それにより破片または洗浄剤が前記プレート間に侵入しないことを特徴とする、請求項１〜１１のいずれか１項に記載の固定治具（１）。
【請求項１３】
請求項１〜１２のいずれか１項に記載の固定治具（１）を備えた物理蒸着コーティング装置。
【請求項１４】
基板を保持するために請求項１〜１３のいずれか１項に記載の固定治具（１）が使われ、コーティングされる前記基板はまず前記シールドプレート（２）を介して貼り付けられ、その後、前記基板は、前記シールドプレート（２）に保持された状態で洗浄プロセスに供され、次に、前記基板を保持した前記シールドプレート（２）を前記固定治具（１）に取り付け、これは順番に蒸着室内に配置されるかまたは配置されることになり、その後、物理蒸着が行われることを特徴とする、物理蒸着コーティングのための方法。
【発明の詳細な説明】
【技術分野】
【０００１】
本発明は、請求項１のプレアンブルによる物理蒸着コーティングプロセスで使用するための固定治具に関するものである。部分的なコーティングのみを必要とする基板の同時コーティング用に設計されている。このようなプロセスは、好ましくは、ＰＶＤコーティング装置の蒸着室内で行われる。
【０００２】
さらに、本発明は、このような治具を備えたＰＶＤコーティング装置、および本発明の治具を用いたＰＶＤコーティング方法に関するものである。
【背景技術】
【０００３】
航空機、ヘリコプター、およびオフロード車のガスタービンエンジンは、ガスタービンコンプレッサーのローターブレードおよびステーターベーン（総称して「タービンブレード」と呼ばれる）が砂のような侵食性の媒体にさらされる埃っぽい環境で運転されることがよくある。これは、成層圏領域直下のジェット気流によって流される火山灰の上昇を管理しなければならない民間航空機にも関係する。このような場合には、不利益な機械的侵食が発生し得る。また、下流側のタービンブレードが高温の燃焼ガスに過度にさらされることがある。そのため、それらは熱過負荷および／または腐食が発生しやすくなる。
【０００４】
改善策として、例えば、ＴｉＮ、ＴｉＣＮ、ＴｉＺｒＮ、ＴｉＺｒＣＮ、ＴｉＡｌＮ、およびＴｉＡｌＣＮのような耐侵食性硬質材料コーティングおよび／または熱負荷および／または腐食を低減するコーティングが、個々のタービンブレードに適用される。このような硬質材料コーティングを適用するための代表的な方法の１つは、あらゆる全種類のカソードアーク物理蒸着である。
【０００５】
タービンブレードは通常、２つの部分、すなわち真の空気箔を形成する第１部分とソケット部分と呼ばれる第２部分に分割することができる。それは、エンジンのディスク部分またはローター部分にタービンブレードを取り付けるために使用される。ソケット部分は典型的には、エンジンのディスク部分またはローター部分の相補的なアリ溝スロットに入れ子にされるためのアリ溝を形成する。アリ溝領域は、空気の流れまたは熱負荷に十分にさらされない。したがって、不利益な侵食性、熱性または腐食性の影響からアリ溝領域を保護する必要はない。一方で、アリ溝壁は、長時間の使用または高速回転の後、フレッティングと呼ばれる疲労現象が発生する。フレッティングは、空気箔部分に塗布されたコーティングによって悪化することがわかった。そのため、前記タービンブレードのソケット部分がコーティングから解放されたままになるように、前記タービンブレードを選択的にコーティングする必要性がある。
【０００６】
タービンブレード以外の他の基板についても、同様に選択的コーティングの需要があり得る。
【０００７】
（従来技術）
コーティングされるタービンブレードのソケット部分をシールドしながら、空気箔上に所望のコーティング蒸着を提供するために、ＥＰ１９０７５９８は、以下を提案する。
【０００８】
１または複数のシールドが提供される。各シールドは、リテーナー開口部のそれぞれを介してタービンブレードを貼り付けることができるように設計された多くのリテーナー開口部を有する。その結果、各タービンブレードの空気箔は、シールドからコーティング蒸着領域内に延びており、各タービンブレードのソケット部分は、コーティング蒸着が行われないシールド内のシールド領域内に延びている。
【０００９】
ＥＰ１９０７５９８は、各ソケット部分について、シールド領域が個別の完全に締結された区画として設計されていることを教示する。前記区画は、シールド内の完全な中空空間であり、その壁は、単一のソケット部分を完全に包含している。
【００１０】
そのために、シールドは、少なくとも図１で図示されるように、トリプルサンドイッチとして設計されている。トリプルサンドイッチは、個別区画の閉底部を形成するベースプレートと、区画の側壁を形成する窓状のリテーナー開口部を有する中間プレートと、ソケット部分を遮光する空気箔部分の出口を有する区画のカバーを形成するベゼルプレートとにより構成される。
【００１１】
前記シールドは、図２に示すように、カルーセルの形をした固定治具に取り付けられる。その結果、カルーセルは、図２でも図示されるコーティング装置のプロセス室内に配置されている。コーティング装置の部屋の側壁に固定された円形のターゲットが容易に視認され得る。カソードとして作用するターゲットおよびアノードとして作用する部屋の壁の間、または少なくとも１つの独立したアノードでアークが燃焼している。アークによって蒸発した材料は、（通常は負のバイアスの下で）基板を運ぶカルーセルに半径方向内向きに加速され、その後、基板上で凝縮する。蒸発した材料は、これらが完全に閉鎖されているので、ソケットを収容する中空空間のそれぞれに侵入することができない。
【００１２】
このようにして、非常に信頼性の高いシールドを持つ精密なコーティングが実現される。
【発明の概要】
【発明が解決しようとする課題】
【００１３】
（発明の目的）
本発明の目的は、このような選択的コーティングを実行するための固定治具を教示することであり、この固定治具はより簡単であり、したがってそれ自体がより経済的である一方で、より短いプロセスサイクルを可能にする。
【課題を解決するための手段】
【００１４】
この問題を解決するために、コーティング作業に使用するための固定治具、好ましくは中心軸の周りを回転可能なカルーセルの形状の固定治具が提案される。固定治具は、シールドが着脱可能に固定された支持構造体を含む。
【００１５】
シールドには、複数の保持治具のリテーナー開口部が設けられている。リテーナー開口部、好ましくはすべてのリテーナー開口部は、それぞれのリテーナー開口部を介して単一の基板を貼り付けることができるように設計されている。各基板の第１部分は、シールドからコーティング蒸着領域内に延びる。コーティングされる隣接する基板から分離したリテーナー開口部でも保持される。そうすれば、非常に均一なコーティングが保証される。
【００１６】
各物体の第２部分は、シールドからシールドの後方、すなわちシールドの裏側に位置するシールド領域内に延びる。シールドの後方とは、シールドの表面が１または複数のターゲットに対向して配置されているシールドの表面に対して背けられているシールドのその側面に配置されていることを意味する。「シールド領域」であるシールドの背後に位置する当該領域では、コーティング蒸着は行われない。
【００１７】
前記シールド領域は、中空空間である。好ましくは、シールド領域は、１つの単一の中空空間−大部分は、少なくとも０．０３ｍ３の連続容積を有する−である。
【００１８】
一方の基板の第２部分を収容し、シールドに形成されたベゼルによって不要な蒸着物に対して締め付けられるシールドの裏側の各凹部は、その中空空間に属する。割り当てられたリテーナー開口部の最大の明確な断面と等しいかまたはそれよりも大きい至る所である最小の明確な断面を介して、中空空間の残りの部分と連結する。
【００１９】
それぞれの場合、中空空間は、第２部分が互いに壁によって分割されたり、個別に「箱詰め」されたりすることなく、複数の第２部分を共同で収容する。
【００２０】
個別に「箱詰め」とは、第２部分が、第２部分のすべての側面が壁で囲まれた状態で、互いに離れて保持されていることを意味する。
【００２１】
典型的には、単一の中空空間は、管状の形状を有する。好ましくは、管状の形状の長手方向軸は、カルーセルの長手方向軸がある場合には、カルーセルの長手方向軸と同軸または少なくとも平行に延びる。この管状の形状は、シールドの裏面によって閉じ込められる。シールドは、その円周方向では無限である。
【００２２】
複数の第２部分が１つの同じシールドされた中空空間内に収容されているので、基板のローディングおよびアンローディングは、従来技術によって教示された基板の各第２部分の個々の「箱詰め」と比較して、はるかに迅速に達成され得る。
【００２３】
さらに、シールドまたはシールドプレートの複雑性を低減することができる。
【００２４】
最後に、例えばサンドブラスト中に基板を所定の位置に保持するために、基板準備段階ですでにシールドを使用することが可能になる。これは、本発明によるよりシンプルな構造が、残留サンドブラスト粒が意図せずにコーティング室内に入り込む危険性がはるかに低いことを担うからである。これにより、サンドブラスト用とコーティング用の別のクリーンな治具にまたはその治具から基板をローディングおよびアンローディングする必要がなくなるため、プロセスを大幅に短縮することができる。
【００２５】
（本発明の進歩のための選択肢）
好ましい実施形態では、支持構造体が中央管を有することを提供する。前記管は、円形でない場合、多角形である断面を有するのが最も良い場合がある。管は、（外側の）シールドによって囲まれる、すなわちガードされる。それは、（外側の）シールドおよび中央管との間の間隙を形成する共通の中空空間の形で、シールドと共に、前記シールド領域を閉じ込める。すなわち、この場合、中央管はシールドの一部であり、中空空間を不要な蒸着からシールドする。
【００２６】
好ましくは、支持構造体は、中心管から半径方向に延びる第１フランジおよび第２フランジを含む。前記フランジは、マルチパートシールドを形成するシールドまたはシールドプレートを取り付けるためのベースを形成する。このようにして、シールドまたはそれを形成するシールドプレートの取り付けが、非常に素早く、常に気密に行えるようになった。
【００２７】
ほとんどの場合、フランジは多数の支持バーによって相互に接続されている。支持バー自体が直接シールドに接触する。このようにして、着脱可能なシールドまたはシールドプレートのしっかりとした幾何学的に正確な支持体が提供される。これにより、各サイクルに１回必要なシールドまたはシールドプレートの取り付けおよび取り外しの手間を省くことができる。
【００２８】
複数のシールドプレートによって形成することが非常に好ましい。典型的には−蒸着操作のための準備ができた位置にあるとき−支持バーの関与の有無にかかわらず、円周方向に直接隣接する２つのシールドプレートの横方向のフランジは、共同で前記中空空間をシールしている。シーリングとは、中空空間へのコーティング蒸着を妨げることを意味する。
【００２９】
好ましくは、シールドプレートは、−理想的には両方の主面上に−平面パネルであり、完全にまたは少なくとも本質的に平面パネルである。
【００３０】
本質的には、平坦な支持面が形成されている限り、局所的な突起は無関係であることを意味する。
【００３１】
前記フランジの前述の円周が、シールドプレートを取り付けるための多くの平坦なベース／支持体を有する多角形を形成する場合、有利である。
【００３２】
非常に好ましい解決策は、多くの窓を有するベースキャリアを含むシールドを提案する。前記ベースキャリアには、多くの交換可能なアダプタープレートが取り付けられている。アダプタープレートは、アダプタープレートに設けられたリテーナー開口部を除き、ベースキャリアの窓を部分的に閉じる役割を担う。アダプタープレートは、シールドを異なる基板形状に非常に効果的に適応させることができる。全く新しいシールドを製造する必要はもうない。カスタマイズされたリテーナー開口部を有するアダプタープレートを提供することで十分である。
【００３３】
好ましくは、アダプタープレートは、ベースプレートに対してまたはベースプレートからツールレスで、理想的には異なる回転位置に取り付けられ、取り付けられなかったりされ得る。ツールレスとは、溶接、はんだ付け、またはリベットのない状態を意味し、理想的にはネジまたはプレスツールの作動がない状態を意味する。狭い意味でのツールレスとは、ペンチ（ｐｉｎｃｅｒ）以外のものを持っていない「素手」のことを意味する。
【００３４】
そのためには、アダプタープレートの外周は丸みを帯びていることが好ましい。そのようにして、アダプタープレートを非常に異なる位置に取り付けることができる。これにより、基板の第１部分を最適な方向、すなわち、蒸着結果に関して最適を保証する方向に配置することが容易になる。アダプタープレートの円周が四角、三角、または六角形のものは、汎用性が低くても、この目的のために検討され得る。
【００３５】
リテーナー開口部にばね要素を割り当てることが好ましい。ばね要素は、リテーナー開口部を介して貼り付けられた基板の固定化に寄与するように設計される。その目的は、基板をリテーナー開口部に対して相対的に固定化することである。
【００３６】
非常に好ましい変形例は、ばね要素の特別なアンカーを提供する。ベースプレートへのアンカーは、ばね要素が、ベースキャリアに対するアダプタープレートの固定化だけでなく、コーティングされる基板の固定化にも寄与するように設計される。それは、異なる基板の小さな連続体をコーティングしなければならない場合には、基板の配置を加速させる。
【００３７】
好ましくは、シールドまたはシールドプレートまたは前記コンポーネントのアダプタープレートは、各リテーナー開口部のベゼル部分を形成するフロントプレートと各リテーナー開口部のリテーナー部分を形成するバックプレートとをサンドイッチ状に形成したものである。
【００３８】
好ましくは、フロントプレートおよびバックプレートの間の接触領域は、破片または固体／流動性洗浄剤（サンドブラスト粉のような）がプレート間に侵入しないようにシールされる。
【図面の簡単な説明】
【００３９】
図のリスト
【図１】従来技術によるシールドプレートを示す。
【図２】従来技術による固定治具を備えた蒸着室を示す。
【図３】シールドまたはシールドプレートを備えていない、本発明による支持構造体の実施形態を示す。
【図４】１つの例示的なシールドプレートが取り付けられようとしている図３による支持構造体を示す。
【図５】シールドプレートを完全に備えた、すなわち、コーティングの蒸着のために準備ができた状態にある、図３による支持構造体を示す。
【図６】図５による支持構造体によって搬送されるシールドプレートの裏側の拡大図である。
【図７】図６に示すシールドプレートの表側の上部の拡大図である。
【図８】本発明によるシールドプレートの代替的な第２の実施形態を示す図である。
【発明を実施するための形態】
【実施例】
【００４０】
（第１の好ましい実施形態）
概要
図３から図５を参照して、本発明の固定治具１の全体像を説明する。
【００４１】
固定治具１は、ここでは多くのシールドプレート２で構成されたシールドを搬送する。シールドプレート２のそれぞれは、
−好ましくは−多くのタービンブレード３を搬送する。タービンブレード３のそれぞれからは、真の空気箔４のみが見え、これは、いわゆる第１部分を形成し、蒸着によるコーティングの準備ができて、蒸着室内に半径方向外向きに延びている。
【００４２】
図３〜図５では示されていないが、タービンブレード３のソケットは、蒸着物に対してシールドされる、いわゆる第２部分を形成するものである。タービンブレード３のような基板を搬送するこの固定治具１は、従来技術の図２を用いて既に説明したのと同様に設計されて動作することができる蒸着機の蒸着室内に配置されている。
【００４３】
支持構造体
図３は、シールドプレート２が取り付けられ得る支持構造体５を示す。
【００４４】
支持構造体５は、好ましくは、回転可能なカルーセルとして設計される。支持構造体５は、中央管６を含む。通常、中央管６は、少なくとも本質的には完全に閉じた円周表面を有する。固定目的で使用されるような小さな局所的な穴は、不利益ではない。
【００４５】
好ましくは、中央管の内側には、ベアリングと、その長手方向軸Ｌの周りに固定治具１全体を回転させるためのドライブとが収容され得る。このようにして、ベアリングおよびドライブは、もしあれば、不利益な蒸着物から保護される。
【００４６】
中央管６からは、少なくとも第１フランジ７および第２フランジ８が半径方向外向に延びる。管６の両端には、フランジ７、８が取り付けられている。
【００４７】
前記フランジ７、８は、閉じたプレートとして設計され得るが、それは必須ではない。この特定のケースでは、フランジ７、８は、材料および重量を節約するために、窓１１とともに設計される。このような窓１１の存在は、蒸気の侵入領域から外れた位置に配置されている限り、不利益なものではない。
【００４８】
一見するとわかるように、各フランジ７、８の円周は、好ましくは多角形、または理想的には六角形または八角形として設計される。なぜこれが好ましいのかは、以下で明らかになる。
【００４９】
フランジ７および８は、支持バー９によって相互に連結され得る。通常、支持バーは、それらが蒸着の準備ができていることを意味するそれらの作業位置に置かれたときに、シールドプレート２に接触する。好ましくは、支持バー９とともに、フランジ７、８の円周の平面１２は、多くの場合、シールドプレート２の裏面を締め付けるように受けるための長方形の枠を形成する。「締め付けるように」という表現は、気密性の高い締め付けという意味ではない。半径方向の蒸気の侵入に対する気密性で十分である。スロットであっても、それが半径方向の直線経路を遮断する一種の迷宮を形成するならば、そのような気密性を提供し得る。
【００５０】
図３または図４から分かるように、１または複数の中間支持体１０を設けることができる。中間支持体は、支持バー９が不利益に振動しやすい状態になることを回避する。中間支持体１０は、図３または図４に示すように、棒状に設計され得る。そのようなものが好ましい。
【００５１】
あるいは、中間支持体１０は、その中に窓がなくても、連続プレートとして設計され得る。そのようにして、それらは、「仕切り」の方法で中空空間１３を−例えば−２つのサブセクションに分割し、それぞれが多くの第２部分を収容する。そのようなものはここには示されておらず、そのようなものは好ましくないが、迂回されるのを避けるために言及されている。
【００５２】
図３および図４を比較することによって最もよくわかるように、固定治具１は、半径方向に突出したフットプレート１４ａを備えてもよく、また、おそらくは、比較可能なヘッドプレート１４ｂを備えてもよい。前記プレートは、もしあれば、シールドプレート２の固定または位置決めに寄与し得る。
【００５３】
支持構造体５を構成する材料としては、好ましくは、例えばＥＮ１．４３０１のようなオーステナイト系鋼、または例えばＥＮ  １．４６２２のような耐食性フェライト系鋼が使用される。
【００５４】
ジョイント中空空間のシールド
これまで説明してきたことに照らして、中央管６の周りに円周方向に密接にグループ化されたシールドプレート２が、中央管６と共に（フランジ７、８の間の領域で）ジョイント中空空間１３を閉じ込めていることを認識する。この中空空間は、ここではシールドプレート２および中央管６の間の半径方向の間隙である。
【００５５】
前記中空空間は、蒸気の侵入に対してシールドされる。
【００５６】
それは共同で、処理中の基板の複数または、ここでのように、すべての第２部分（タービンブレードの場合には、コーティングを受けることが許されていないすべてのそのソケット）を収容する。
【００５７】
好ましくは、前記中空空間（前記２つの前記フランジ７、８の間に割り当てられている）は、０．０１ｍ３超の体積を有する。多くの場合、体積は０．０３ｍ３〜１ｍ３の範囲の中空空間である。典型的には、中空空間は、（完全にまたは本質的に）管状の形状を有し、前記管の想像上の「壁」は、好ましくは、０．０８ｍから０．３ｍの間の半径方向の厚さをどこでも有し、中空空間を形成する。
【００５８】
シールドの設計
既に上述したように、シールドは、理論的には、中央管６の周りに必要な半径方向の長さに巻かれた１つの単一のジャケットであり得る。
【００５９】
しかし、このような設計では、ほとんどの用途で不便を感じるであろう。そのため、複数のシールドプレート２は、上述したように、中央管６に巻き付けられたジャケット状のシールドを一体に形成することが好ましい。
【００６０】
好ましくは、各シールドプレート２は、図６によって開示されるように設計される。図７は、ここでコーティングされる基板を形成するタービンブレード３が、このようなシールドプレート２に「コーティングの準備ができた」状態で固定される様子を示す。
【００６１】
容易に見られるように、各シールドプレート２は、好ましくは３個から１５個のリテーナー開口部１９の間を処理する。各リテーナー開口部１９は、図７を参照して、コーティングされる基板をリテーナー開口部１９を介して貼り付けることができるように設計される。
【００６２】
ほとんどの場合、このようなシールドプレート２は、２つの主面１５、２つの側面１６、および２つの額面１７を有する（完全にまたは実質的に）平板である。典型的には、２つの主面１５のそれぞれの表面積は、側面１６および額面１７のそれぞれの表面積の少なくとも７倍の大きさである。典型的には、２つの側面１６のそれぞれの表面積は、額面１７のそれぞれの表面積の少なくとも５倍の大きさである。この設計は、シールドプレートに帯状の外観を与える。
【００６３】
好ましくは、各シールドプレート２は、保持プレート１８とベゼルプレート２１とをサンドイッチ状にして形成されており、それらの主面１５のうちの１つの主面１５で互いに横たわるようになっている。これは図７で最もよくわかる。
【００６４】
保持プレート１８は、コーティングされる基板ごとに個別にリテーナー開口部１９を搬送する。リテーナー開口部１９は、保持プレート１８を通過する窓の形状を有する。リテーナー開口部１９は、コーティングされる個々の基板に合わせて特注で作られた側壁２０を加工する。側壁２０は、フォームフィット的にコーティングされる基板の第２部分を包む。それは、コーティングされる基板を正確に定義された位置に保持するための前提条件である。
【００６５】
図６から自明のように、保持プレート１８を通過する窓は、カバーによって閉じられるのではなく、発明的な単一の中空空間に向かって開かれたままである。
【００６６】
ベゼルプレート２１は、コーティングされる基板ごとに個別に、ベゼルを形成する窓を運ぶ。この目的のために、前記窓は、保持プレート１８を通過する窓よりも小さい。ベゼルプレート２１の前記窓の各々は、保持プレート１８を通過する割り当てられた窓と整列するように配置される。ベゼルプレート２１は、プロセス室内で発生する蒸気によるアクセスに対して第２部分を遮光する。
【００６７】
多くの場合、保持プレート１８とベゼルプレート２１とは、互いに締め付けられている。そのため、蒸着時だけでなく、シールドプレート２を使用することも可能となる。
【００６８】
代わりに、このようなシールドプレート２は、例えばサンドブラストの間にしっかりと保持するために、基板の準備の間に既に使用され得る。２枚のプレートが互いに締め付けられていれば、残留サンドブラスト材料が意図せずして蒸着室に運ばれ、不利益な影響を及ぼす危険性はない。
【００６９】
前記締め付けは、好ましくは、前記２枚のプレートを一緒にはんだ付けすることによって、場合によっては、プレートの２枚の接触する主面の全表面積にわたって実現される。はんだ付けに用いるはんだとしては、５００℃超の温度で負荷がかかっても熱的に安定であり、かつ耐食性にも優れたＡｇ系はんだまたは他のはんだが好ましい。
【００７０】
保持プレート１８の窓内にコーティングされる基板の第２部分を固定化するために、ばね要素２２が設けられている。好ましくは、保持プレート１８の前記窓の各々には、自前のばね要素２２が割り当てられている。
【００７１】
図６から容易に分かるように、ここでは、ばね要素２２は、シールドプレートの主面１５に垂直な方向に基板の第２部分を押圧するリーフばねとして構成されている。
【００７２】
好ましくは、ばね要素２２は、そこから延びる２つのフック脚２４を有するＶ字型主部分２３を有する。Ｖ字型主部分２３は、基板の第２部分に押し付けられている。フック脚２４の各々は、そこの各窓の少なくとも２つの側面において、その目的のために保持プレート１８に設けられた固定穴２５にカチッと閉まり得る。１つが見ることができるように、各固定穴２５は、蒸着室の蒸気によっての直接アクセスに対してベゼルプレート２１によって覆われる。
【００７３】
前記固定穴２５に代わるものとして、シールドプレートの表面１５から延びるむちひもを設けることができる。このようなむちひもについては、後ほど詳しく説明する。しかし、コスト面の理由から、固定穴は、例えば、容易に打ち抜くことができるので好ましい。
【００７４】
特に、５００℃超の高温に耐えられる耐クリープ性および／または耐熱性のある鋼でスプリングを製造することが有利であることがわかってきた。理想的な材料はＮｉｍｏｎｉｃ  ９０である。
【００７５】
好ましくは、保持プレート１８は、シールドプレート２を支持構造体５に着脱可能に固定するためのフォームフィット要素を備える。
【００７６】
これらのフォームフィット要素のうちの１つ、好ましくは上側のものは、図６および図７に示すように、Ｃ字型のハンガークローとして、またはＴ字型の突起として具現化されていてもよい。Ｔ字型の突起も、支持構造体に引っ掛けることができる。これらのフォームフィット要素の他の１つ、好ましくは下側のものは、図６を参照して、シールドプレート２を支持構造体５にスナップラッチするため、または支持構造体５にそれをクリックするための舌状の突起として具現化され得る。
【００７７】
好ましくは、ベゼルプレート２１自体は、図７を参照して、前記ハンガークロー、前記Ｔ字型の突起、または前記舌状の突起を具現化していない。
【００７８】
シールドまたはシールドプレート２に使用される材料に関しては、支持構造体５に関して上述したことが適用される。
【００７９】
（別の好ましい実施形態）
以下に説明する相違点を除いて、第２の好ましい実施形態は、上記で説明した第１の好ましい実施形態と同一である。そのため、以下に説明する特別な特徴に逆らわない限り、第１の実施形態に係る上述の説明はすべて第２の実施形態にも適用される。
【００８０】
第２の好ましい実施形態の顕著な違いは、図８に示すように、この実施形態では、より汎用性の高いシールドプレート２が使用されていることである。
【００８１】
対応するシールドプレート２は、ベースキャリア２６を含む。ベースキャリアは、多くの窓を運ぶ。さらに、前記窓を部分的に閉じるために、多くのアダプタープレート２７がベースキャリア２６に取り付けられている。アダプタープレートは、好ましくは、ベースキャリアのシールドされた裏面に取り付けられる。以下、上述の窓の領域に残存する唯一のブレイクスルーは、各アダプタープレート２７に設けられたリテーナー開口部１９である。
【００８２】
従って、１つと同じキャリア２６を、非常に異なる基板をコーティングするために使用することができるという利点がある。
【００８３】
キャリア２６をコーティングされる異なる基材にカスタマイズするためには、それに応じてカスタマイズされたアダプタープレート以外には何も必要とされない。これにより、製造コストが大幅に削減されるだけでなく、保管コストも大幅に削減され、完全なシールドプレート２を保管する必要がなくなり、はるかに小さいアダプタープレート２７のみが保管されるようになる。
【００８４】
好ましくは、１つの単一のアダプタープレート２７が個々の基板に割り当てられている。
【００８５】
アダプタープレート２７自体は、好ましくはそれらのリテーナー開口部１９に関して、上述したものにしたがって設計される。
【００８６】
ここでも、アダプタープレートをサンドイッチとして、好ましくは２層のみで製造することが好ましい。このようなサンドイッチは、第１の実施形態について既に説明したように、ベゼルプレートを形成するフロントプレートと、キャリアプレートを形成するバックプレートとで構成される。キャリアプレートは、第２部分をフォームフィット的に収容する側壁を形成する。好ましくは、ベゼルプレートとキャリアプレートは、ほとんどの場合、上で説明したように、はんだ付けによって、互いに締め付けられる。
【００８７】
好ましくは、アダプタープレート２７の外周は、アダプタープレート２７が異なる回転位置、例えば６時の位置、９時の位置、または１２時の位置で、ベースキャリア２６内の窓に直交する線に関連したすべてを意味する、異なる回転位置でベースキャリア２６に取り付けられるように設計される。
【００８８】
このようにして、個々のケースに必要な、つまり最適化されたコーティング結果を得るために、蒸着室内の基板の第１部分の向きを調整することができる。
【００８９】
アダプタープレート２７の最も好ましい変形は、図に示されていない円形の外周を有する。そのようなアダプタープレートは、必要な各回転位置でベースキャリアに取り付けられ得る。あるいは、円周が四角形、三角形、六角形、または多角形の他のアダプタープレートも使用することが可能である。このようなアダプタープレートは、それほど汎用性が高くなくても、異なる回転位置に取り付けられ得る。
【００９０】
図８に示すアダプタープレート２７は、円周が長方形に形成されている。そのため、常に同じ位置に取り付けられる必要がある。
【００９１】
ベースキャリア２６には、アダプタープレート２７の位置決めおよび固定を支持するために、複数のむちひも２８が設けられている。好ましくは、むちひも２８は、アダプタープレート２７の円周方向の対向する２つの側面をフォームフィットに案内する。このようにして、各アダプタープレート２７の位置決めが正確に行われるようにしている。
【００９２】
各むちひも２８は、ばね要素２２をアンカーするために機能する。好ましくは、ばね要素２２は、第１の実施形態に関連して既に説明したように設計されている。このようなばね要素２２が使用される場合、ばね要素２２の各脚２４は、１つのむちひも２８に入れ子状にされ得る。
【００９３】
そのようにして、ばね要素２２は、コーティングされる基板の第２部分に圧力を及ぼす。コーティングされる基板の第２部分は、そのようにしてアダプタープレート２７の開口部に押し込まれる。同時に、アダプタープレート２７とコーティングされる基板のアセンブリは、一体的にベースキャリア２６に押し込まれる。
【００９４】
好ましくは、各アダプタープレート２７は、２つの横方向の凹部２９を備える。各凹部２９は、取り付けられたときに、ばね要素２２の脚の一部を収容する。そのようにして、アダプタープレート２７は、ベースキャリア２６からの滑り出しに対して、または（この場合には）むちひも２８によって提供される案内からの滑り出しに対して、追加のフォームフィットによって固定される。
【００９５】
図８を見ても明らかなように、この設計の大きな利点は、コーティングされる基板とアダプタープレートを同期的に固定するためには、１つの単一のばね要素の張力以外には何も必要ないことである。より正確には、ここで使用されるリーフばね要素２２の２本の脚の入れ子以外に、アセンブリ全体を固定するために必要なものは何もない。
【００９６】
完全性のために、ここでも、むちひも２８の代わりに、第１の実施形態で知られている固定穴２５を使用することはオプションであると言わなければならない。
【００９７】
参照番号一覧
１   固定治具
２   シールドプレート
３   タービンブレード
４   エアブレード／タービンブレードのエアブレード部分
５   支持構造体
６   中央管
７   第１フランジ
８   第２フランジ
９   支持バー
１０  中間支持体
１１  フランジ中の窓
１２  フランジの平面
１３  中空空間
１４ａ フットプレート
１４ｂ ヘッドプレート
１５  シールドプレートの主面
１６  シールドプレートの側面
１７  シールドプレートの額面
１８  保持プレート
１９  リテーナー開口部
２０  区画の側壁
２１  ベゼルプレート
２２  ばね要素
２３  主部分
２４  フック脚
２５  固定穴
２６  ベースキャリア
２７  アダプタープレート
２８  むちひも
２９  アダプタープレート中のばね受容凹部
Ｌ   長手方向軸
【図１】
2021519861.tif 000003
【図２】
2021519861.tif 000004
【図３】
2021519861.tif 000005
【図４】
2021519861.tif 000006
【図５】
2021519861.tif 000007
【図６】
2021519861.tif 000008
【図６ｂ】
2021519861.tif 000009
【図６ｃ】
2021519861.tif 000010
【図７】
2021519861.tif 000011
【図７ａ】
2021519861.tif 000012
【図８】
2021519861.tif 000013
【図８ａ】
2021519861.tif 000014
【図８ｂ】
2021519861.tif 000015
【図８ｃ】
2021519861.tif 000016
【図８ｄ】
2021519861.tif 000017
【国際調査報告】
2021519861.tif 000018
2021519861.tif 000019
2021519861.tif 000020